(57)【特許請求の範囲】
【請求項１】
撮影手段と、表示手段と、装飾図案データベースと、ユーザインタフェースと、制御手段と、メモリと、印刷手段を備えたセルフポートレート撮影印刷装置であって、
撮影手段は、制御手段の制御に従って利用者の顔の動画像を撮影し、
表示手段は、撮影される利用者が表示画面を正視でき、制御手段の制御に従って画像を表示し、
装飾図案データベースは、多数の装飾図案データを蓄積し、
ユーザインタフェースは、利用者に情報を提示するとともに利用者の操作入力を受け付け、
制御手段は、図案選択処理と、実時間表示処理と、動画像記録処理と、動画像再生処理と、印刷処理を可能とし、
図案選択処理は、装飾図案データベース中からユーザインタフェースにより利用者が希望した装飾図案データを抽出してメモリに格納し、
実時間表示処理は、撮影手段が出力する動画像データとメモリに格納された装飾図案データを合成し、その合成画像データを表示させ、
動画像記録処理は、実時間表示処理の実行中、ユーザインタフェースからの録画指令を契機として、撮影手段が出力する動画像データを所定時間メモリに記録し、
動画像再生処理は、ユーザインタフェースによる操作入力に応答して第１〜第３処理を可能とし、
第１処理は、再生指令によりメモリに記録した動画像データを再生し、メモリに格納された装飾図案データと合成して表示させ、
第２処理は、停止指令により第１処理の動画再生を停止して停止点の静止画像データと装飾図案データを合成して表示させ、
第３処理は、コマ送り指令により第２処理における停止点の時間位置を変化させ、
印刷処理は、第２および第３処理により静止画像データと装飾図案データが合成されて表示されている状態において、ユーザインタフェースによる印刷指令に応答して表示中の画像を印刷手段に印刷させる
セルフポートレート撮影印刷装置。
【請求項２】
撮影手段と、表示手段と、装飾図案データベースと、ユーザインタフェースと、制御手段と、メモリと、印刷手段を備えたセルフポートレート撮影印刷装置であって、
撮影手段は、制御手段の制御に従って利用者の顔の動画像を撮影し、
表示手段は、撮影される利用者が表示画面を正視でき、制御手段の制御に従って画像を表示し、
装飾図案データベースは、多数の装飾図案データを蓄積し、
ユーザインタフェースは、利用者に情報を提示するとともに利用者の操作入力を受け付け、
制御手段は、図案選択処理と、実時間表示処理と、動画像記録処理と、動画像再生処理と、分割表示処理と、印刷処理を可能とし、
図案選択処理は、装飾図案データベース中からユーザインタフェースにより利用者が希望した装飾図案データを抽出してメモリに格納し、
実時間表示処理は、撮影手段が出力する動画像データとメモリに格納された装飾図案データを合成し、その合成画像データを表示させ、
動画像記録処理は、実時間表示処理の実行中、ユーザインタフェースからの録画指令を契機として、撮影手段が出力する動画像データを所定時間メモリに記録し、
動画像再生処理は、ユーザインタフェースによる操作入力に応答して第１〜第４処理を可能とし、
第１処理は、再生指令によりメモリに記録した動画像データを再生し、メモリに格納された装飾図案データと合成して表示させ、
第２処理は、停止指令により第１処理の動画再生を停止して停止点の静止画像データと装飾図案データを合成して表示させ、
第３処理は、コマ送り指令により第２処理における停止点の時間位置を変化させ、
第４処理は、第２および第３処理により表示されている合成画像に対して選定指令が与えられた際、その合成画像の元になっている静止画像データをメモリに格納し、
分割表示処理は、第４処理によりメモリに格納された静止画像データを一覧表示させ、その中から任意のコマを特定する操作入力を受け付け、
印刷処理は、分割表示処理により特定された静止画像データと装飾図案データの合成画像を印刷手段に印刷させる
セルフポートレート撮影印刷装置。
【請求項３】
撮影される利用者の頭部に向けて風を送る送風機を備え、
制御手段は、ユーザインタフェースからの送風指令により送風機を動作させる
請求項１または２に記載のセルフポートレート撮影印刷装置。
【発明の詳細な説明】
【０００１】
【発明の属する技術分野】
この発明は顔写真シール作成機のようなセルフポートレート撮影印刷装置に関し、とくに、利用者に気に入ったポーズを選定させる技術に関する。
【０００２】
【従来の技術】
昨今、顔写真シール作成機のようなセルフポートレート撮影印刷装置が爆発的人気を博している。これは周知の通り、ビデオカメラとビデオディスプレイとビデオプリンタを組み合わせたもので、利用者自身が操作して自分を撮影し、顔写真のシールをつくる装置である。顔写真に組み合わせるフレーム絵柄がデータ化されて複数種類内蔵されており、利用者が任意に選んだフレーム絵柄と利用者が入力した文字や数字などの付加情報とカメラで撮影した顔の映像とを合成して、任意のポーズのタイミングでビデオプリンタから印刷する。
【０００３】
その際、選択されたフレーム絵柄を前景にしてビデオカメラで撮影している被写体像がディスプレイにリアルタイムで表示されるので、利用者はディスプレイの前でポーズを取りつつ、気に入ったポーズを極めたその瞬間を逃さずスイッチ操作でフリーズ画像を決定させていた。つまり、利用者が気に入るまで撮り直す、いわゆるスチル撮影の手法をとっていた。撮影の際の操作として、所定のボタンを押すと数秒後にシャッターが切られるものや、セルフタイマー付きの装置もあった。また、連写モードで利用者の姿を連続的に撮影するものもあった。
【０００４】
【発明が解決しようとする課題】
しかし、気に入った表情や振る舞いの瞬間をリアルタイムで捕らえようとすると、余計な時間を要して順番待ちの利用者に迷惑がかかり、制限時間が設けられている場合には、気に入らない表情のまま妥協せざるを得なかった。つまり、シャッターが切られるタイミングに合わせて、ポーズを決める必要があるため、シャッターが切られた瞬間に目をつぶってしまったり、表情がこわばって自分らしさを出すことが困難であったりして、プリントされたものを見て利用者をがっかりさせることも多かった。そして、撮影の主体となる人物のポーズのパターンは、撮影時のキャンセル回数の制限から実質上限られていたり、連写モードでも１６パターン程度であって、その中からお気に入りのポーズのものを選ぶのは困難であった。
【０００５】
この発明はこのような従来の問題点に鑑みなされたもので、その目的は、利用者の表情や振る舞いの気に入った瞬間を容易に捕らえて、ポーズを選定することができるセルフポートレート撮影印刷装置を提供することにある。
【０００６】
【課題を解決するための手段】
そのために、この発明のセルフポートレート撮影印刷装置は、利用者の姿を撮影するためのビデオカメラと、このビデオカメラで撮影されている利用者に向けて表示画像を見せるように配設されたディスプレイと、撮影中の利用者によって操作可能な操作入力部と、前記ビデオカメラから出力される映像信号を実時間で前記ディスプレイに表示する実時間表示手段と、前記操作入力部からの所定のコマンド入力に応答し、前記ビデオカメラから出力される映像信号を短い所定時間分だけ映像メモリに記録する映像記録手段と、前記操作入力部からの所定のコマンド入力に応答し、前記映像メモリに記録されている映像信号を再生して前記ディスプレイに表示しつつ、コマ割りにした任意の撮影時点の静止画像を選択する映像カット再生選択手段と、人物映像に付加すべく作成された多数の装飾図案データを蓄積したデータベースと、このデータベースから適宜に選択された装飾図案データと、前記実時間表示手段または前記映像カット再生選択手段による表示対象映像とを組み合わせた合成画像を作成し、その合成画像を前記ディスプレイに表示する画像合成手段と、前記操作入力部からの所定のコマンド入力に応答し、前記ディスプレイに表示されている画像をサンプリングして印刷するビデオプリンタとを備える。望ましくは、撮影中の利用者の頭部に向けて適当な風を当てる送風機が前記ビデオカメラの撮影視野外に配設されているものとする。
【０００７】
このように、人物のモーション映像を記録し、自在に再生して静止ポーズを抽出できるようにしたので、表情や振る舞いの動きの中の瞬間を見直しながらじっくりと見定めて気に入ったポーズを選定して、お気に入りの装飾図案とともにプリンタで印刷することができるのである。
【０００８】
【発明の実施の形態】
図１は、この発明の一実施例によるセルフポートレート撮影印刷装置の構成を中心に表現したブロック図であり、図２は、この装置の外観斜視図を示したものである。
【０００９】
人の顔が映るようにこの装置の正面に配置された透明パネル１５があり、その前に立つ利用者の姿を撮影するためのビデオカメラ１２と、ビデオカメラ１２で撮影されている利用者の姿をミラーを介してその利用者に向けて表示するディスプレイ１４と、ディスプレイ１４に表示されている画像をサンプリングして印刷するビデオプリンタ１３とがこの装置の本体に組み込まれている。この装置の中央制御部１は、ＣＰＵ・ＲＡＭ・ＲＯＭを含んだコンピュータ本体である。この装置の本体には表示器や操作ボタンを含むユーザインタフェース用の操作パネル３があり、この操作パネル３は操作制御部２を介して中央制御部１に結合されている。利用者は、この操作パネル３からフレーム絵柄の選択や日付・番号入力などの各種操作入力を行い、その操作内容や操作入力に対する装置の応答情報が操作パネル３などに表示される。
【００１０】
ここで、ビデオプリンタ１３は表示制御部１０とディスプレイ１４とを結ぶ表示出力経路に介挿されている。通常の動作モードでは、表示制御部１０からの表示出力がビデオプリンタ１３を単に通過してディスプレイ１４に供給される（スルーモード）。従って、ビデオカメラ１２から出力される映像信号がリアルタイムでディスプレイ１４に表示される。この状態で中央制御部１からビデオプリンタ１３にフリーズ指令信号が供給されると、そのとき表示している画像データがビデオプリンタ１３の内部ＲＡＭに保持され、その保持された画像データが静止画としてディスプレイ１４に表示される（フリーズモード）。中央制御部１からビデオプリンタ１３にスルー指令信号が供給されると、このフリーズモードが解除され、前述のスルーモードに戻る。このフリーズモードにおいて、中央制御部１からビデオプリンタ１３にプリント指令信号が供給されると、ビデオプリンタ１３の前記内部ＲＡＭに保持された画像データ（前記の静止画）を用紙に印刷する処理を開始し、同時に前記スルーモードに戻る。
【００１１】
ハードディスク装置４には、ビデオカメラ１２で撮影する人物映像に付加するための多数の装飾図案データが格納され、装飾図案データベースが構築されている。一般に、ここでの装飾図案とは顔写真の周囲を縁取るようにデザインされた装飾的なイラストであり、そのイラスト画像を圧縮符号化したものが装飾図案データである。中央制御部１は、ハードディスク装置４からある装飾図案データを読み出して復号化し、ビデオＲＡＭ９にその装飾図案のビットマップデータを展開する。表示制御部１０は、ビデオＲＡＭ９の装飾図案にビデオカメラ１２で撮影した人物映像をはめ込むように合成し、その合成画像データをビデオプリンタ１３を介してディスプレイ１４に供給して表示する。ビデオプリンタ１３が前述のスルーモードであれば、表示される合成画像は、静止画の装飾図案のフレーム中にビデオカメラ１２で撮影されている動画が組み合わさったものとなっている。ビデオプリンタ１３がフリーズモードになると、その時点の合成画像がディスプレイ１４に固定化表示され、その状態でプリント指令が与えられると、その合成画像が印刷される。以上が通常の撮影モードにおける装置の動作概要である。
【００１２】
さらに、所定時間、利用者に自然な表情や自由な動作をしてもらい、その映像を記録した後で印刷対象となる自分のポーズを選ぶことができるようにするため、上記の基本構成に加えて、この装置は、映像信号を符号化して圧縮しＭＰＥＧデータとするＭＰＥＧエンコーダと、そのＭＰＥＧデータを復号化して伸張するＭＰＥＧデコーダとを有するＭＰＥＧコーデック部１１を備える。このＭＰＥＧコーデック部１１は、いわゆる動画像コーデックとしての構成と機能を備えたもので、動画像をハンドリングする際の標準フォーマットであるＭＰＥＧデータを取り扱うものであるが、これに限定されるものではない。
【００１３】
まず、利用者が操作パネル３から録画指令を与えると、中央制御部１は、ビデオカメラ１２から出力される映像信号を短い所定時間（５秒程度）ＭＰＥＧ圧縮してＲＡＭに記録する。続いて、利用者が操作パネル３から再生指令を与えると、ＲＡＭに記憶されたＭＰＥＧデータを、正／逆コマ送り、停止などジョグダイヤルなどによる利用者の自在な再生操作に応答してＭＰＥＧ伸張した画像と装飾フレーム画像とを合成し、ビデオプリンタ１３を経由してディスプレイ１４に表示する。その際、コマ割りにした任意の撮影時点での静止画像の中からランダムに所定枚数分選んでディスプレイ１４に分割表示するようにしてもよい。そして、ディスプレイ１４に表示された静止画像の中から利用者に気に入ったポーズのものを選定させる。そこでプリント開始指示が与えられると、通常の撮影モードにおけるフリーズモードと同様、選定された静止画像と装飾図案との合成画像がビデオプリンタ１３の内部ＲＡＭに保持され、所定の分割パターン、プリントモードでプリントしたシールがビデオプリンタ１３から排出される。
【００１４】
ここで、ＭＰＥＧコーデック部１１は、通常は前述のスルーモードでビデオカメラ１２の捕らえた映像を出力している。また、上記所定時間の録画の際のエンコード中もビデオカメラ１２で捕らえた映像を出力しており、ビデオＲＡＭ９に展開された装飾フレーム画像と合成された被写体映像がリアルタイムでビデオプリンタ１３を経由してディスプレイ１４にスルー表示される。
【００１５】
さて、撮影中の利用者の頭部に向けて適当な風を当てる送風機が前記ビデオカメラの撮影視野外に配設されている。この送風機は人物撮影時に演出小道具として用いられるものである。例えば、この装置の内部にファンを設け、利用者の操作に応答して、この装置の本体に開けられた吹き出し口から利用者に向けて風を当てるようにしておく。あるいは、この装置の本体の上部に扇風機を取り付けて操作中の利用者に向けて風を吹き下ろすようにしてもよい。そのようにすることで、希望に応じて風に吹かれた情景を演出し、録画スタート操作を行うことによって、自由に振る舞いながら両手を使ったポーズでポートレートを作成することができる。
【００１６】
なお、ＭＰＥＧエンコード／デコードはコンピュータプログラムを用いたソフトウェア処理にしてもよく、また、ＭＰＥＧコーデックにはこだわらず、ＶＴＲなど適宜な録画手段を用いてもよい。また、ＪＰＥＧによる静止画像データとして連写モードで所定時間、撮影対象の人物の姿を記録するような構成にしてもよい。さらに、この装置の構成をカラオケ装置に付加することにより、歌唱中の人物の動作を的確に捕らえて、熱唱する自分の映像の中から最も気に入ったポーズを歌唱の後、自ら選んで顔写真シールとすることができる。
【００１７】
【発明の効果】
この発明によれば、顔写真シール作成機のようなセルフポートレート撮影印刷装置において、従来のように利用者に気に入らないポーズのまま、顔写真プリントを提供するといったことがなくなる。なぜなら、撮影時間に幅をもたせたのでリラックスして撮影に臨むことができるとともに、飛躍的に撮影時のポーズ選択の幅が広がるからである。また、様々なポーズと選択したフレーム絵柄とを合成したときの画像を予めディスプレイで確認することができるので、フレーム絵柄にあった表情やポーズを色々と試してみるなどして最適なものを選択することができる。つまり、お気に入りの表情の瞬間を捕らえた最もよいショットを選んでプリントすることができるのである。
【００１８】
さらに、送風機で撮影中の利用者の頭部に向けて適当な風を当てることにより、例えば、長い髪の女性が髪をなびかせながら両手を使ってポーズを決めるといった決定的瞬間をとらえることも可能となり、そうした人物映像に変化をもたせたショットを容易に選定してシールにすることができる。
【００１９】
以上の通り、この発明によれば、利用者に満足してもらうようなセルフポートレートを提供できるとともに、従来では撮影することのできなかったポーズや、生き生きとした表情やおもしろい動作を捕らえてプリントすることができるのである。
【図面の簡単な説明】
【図１】この発明の一実施例によるセルフポートレート撮影印刷装置の主要部分を中心にしたブロック図である。
【図２】同上セルフポートレート撮影印刷装置の外観例を示す斜視図である。
【符号の説明】
１  中央制御部
２  操作制御部
３  操作パネル
４  ハードディスク装置
９  ビデオＲＡＭ
１０  表示制御部
１１  ＭＰＥＧコーデック部
１２  ビデオカメラ
１３  ビデオプリンタ
１４  ディスプレイ
【図１】
0003834387.tif 000002
【図２】
0003834387.tif 000003